(57)【要約】    【課題】      宅地分譲地等の整地現場等において発生した濁水を清水にする濁水処理装置において、現場の地形を利用することにより安価で、かつ作業を簡単にする。    【解決手段】  １０は濁水を貯溜する濁水貯溜槽、２０は濁水貯溜槽１０に貯溜された濁水を搬送する濁水搬送部、３０は濁水搬送部２０より導入された濁水に凝集剤を混入するとともに攪拌する攪拌・混合槽、４０は攪拌・混合槽の凝集剤が混合された凝集剤混合濁水を流す攪拌管、５０は攪拌管４０から導入された凝集剤混合濁水を貯溜し凝集物を沈殿させる凝集物沈殿槽、６０は凝集物沈殿槽５０の凝集物が沈殿した濁水中の凝集物を漉すフィルター水路、７０はフィルター水路６０から導入された清水を貯溜する清水槽である。【選択図】        図１
2006150297.tif 000002
【特許請求の範囲】
【請求項１】
地面に構築され濁水を貯溜する濁水貯溜槽と、該濁水貯溜槽から導入された濁水に凝集剤を混入するとともに攪拌して凝集剤混入濁水を生成する攪拌・混合槽と、該濁水貯溜槽から攪拌・混合槽へ濁水を送る濁水搬送部と、該攪拌・混合槽から導入された凝集剤混入濁水を貯溜し凝集物を沈殿させる凝集物沈殿槽とを有することを特徴とする濁水処理装置。
【請求項２】
地面に構築され濁水を貯溜する濁水貯溜槽と、該濁水貯溜槽から導入された濁水に凝集剤を混入するとともに攪拌して凝集剤混入濁水を生成する攪拌・混合槽と、該攪拌・混合槽から導入された凝集剤混入濁水を貯溜し凝集物を沈殿させる凝集物沈殿槽とを有し、前記攪拌・混合槽が地面に埋設して設けられ、前記濁水貯溜槽が攪拌・混合槽より高い位置に設けられるとともに、前記凝集物沈殿槽が攪拌・混合槽より低い位置に設けられ、濁水貯溜槽より濁水が自重により攪拌・混合槽に流入するとともに、攪拌混合槽より凝集剤混入濁水が自重により凝集物沈殿槽に流入することを特徴とする濁水処理装置。
【請求項３】
前記攪拌・混合槽と凝集物沈殿槽との間に、攪拌・混合槽から導入された凝集剤混入濁水を攪拌する攪拌管が設けられたことを特徴とする請求項１又は２記載の濁水処理装置。
【発明の詳細な説明】
【技術分野】
【０００１】
本発明は、宅地分譲地等の整地現場、土地造成、トンネル工事、土木工事,建築工事等において発生した濁水を清水にする濁水処理装置に関するものである。
【背景技術】
【０００２】
一般に、山の斜面等を切り開いて宅地を造成する際、雨水、湧水等により造成地現場に土、砂等の微細粒子が分散した濁水が発生するものであった。このような濁水は廃棄しなければならないが、そのまま廃棄すると河川を汚染して自然環境を破壊することとなるので、濁水を清水と、土、砂等の微細粒子の凝集物に分離し、凝集物を回収するとともに、清水を廃棄する作業が必要であった。
【０００３】
従来、このような整地現場に発生した濁水を除去するには、一括処理方式としてのプラント型が用いられていた。すなわち、整地現場に攪拌凝集槽を設置し、この攪拌凝集槽に濁水を導入するとともに、凝集剤を混入することにより、濁水中の微細な泥土等を凝集、沈下させて、微細な泥土等からなる凝集物と、清水とに分離し、それぞれ廃棄していた（例えば、特許文献１参照）。
【０００４】
【特許文献１】特開平１１−２１６３０５号公報
【発明の開示】
【発明が解決しようとする課題】
【０００５】
しかしながら、上述した従来のプラント型の濁水の処理方法においては、攪拌凝集槽等のプラント装置を製造しなければならず高価となり、また、現場にプラント装置を設置しなければならず、かつプラント装置に濁水を導入しなければならないので作業が煩雑なものであった。
【０００６】
本発明は、以上の問題点を解決し、現場の地形を利用することにより安価で、かつ作業が簡単な濁水処理装置を提供することを目的とする。
【課題を解決するための手段】
【０００７】
請求項１に記載の濁水処理装置は、地面に構築され濁水を貯溜する濁水貯溜槽と、該濁水貯溜槽から導入された濁水に凝集剤を混入するとともに攪拌して凝集剤混入濁水を生成する攪拌・混合槽と、該濁水貯溜槽から攪拌・混合槽へ濁水を送る濁水搬送部と、該攪拌・混合槽から導入された凝集剤混入濁水を貯溜し凝集物を沈殿させる凝集物沈殿槽とを有することを特徴として構成されている。
【０００８】
請求項２に記載の濁水処理装置は、地面に構築され濁水を貯溜する濁水貯溜槽と、該該濁水貯溜槽から導入された濁水に凝集剤を混入するとともに攪拌して凝集剤混入濁水を生成する攪拌・混合槽と、該攪拌・混合槽から導入された凝集剤混入濁水を貯溜し凝集物を沈殿させる凝集物沈殿槽とを有し、前記攪拌・混合槽が地面に埋設して設けられ、前記濁水貯溜槽が攪拌・混合槽より高い位置に設けられるとともに、前記凝集物沈殿槽が攪拌・混合槽より低い位置に設けられ、濁水貯溜槽より濁水が自重により攪拌・混合槽に流入するとともに、攪拌混合槽より凝集剤混入濁水が自重により凝集物沈殿槽に流入することを特徴として構成されている。
【０００９】
請求項３に記載の濁水処理装置は、請求項１又は２の濁水処理装置において、前記攪拌・混合槽と凝集物沈殿槽との間に、攪拌・混合槽から導入された凝集剤混入濁水を攪拌する攪拌管が設けられたことを特徴として構成されている。
【発明の効果】
【００１０】
請求項１に記載の濁水処理装置においては、濁水貯溜槽に整地現場で発生した濁水を貯溜し、濁水中の砂等を沈下させる。次に、この砂等を沈下させた濁水を濁水搬送部で攪拌・混合槽に導入し、この濁水に凝集剤を混入するとともに攪拌し、濁水と凝集剤とを略均一に混合する。この凝集剤が混入した凝集剤混合濁水は凝集物沈殿槽に導入され、凝集物沈殿槽において微細粒子が凝集、沈下し、清水を得ることができる。また、濁水貯溜槽、攪拌・混合槽及び凝集沈殿槽を分散して配置することができるので、従来困難とされていた地形（例えば、プラント装置を設置するスペースが無い地形）においても対応することができ、さらに、攪拌・混合槽のみ製造・設置するものであるので、安価で、作業が簡単なものである。さらにまた、地形の都合上、一箇所に集水できない場合であっても、攪拌・混合槽を複数設置することにより、あらゆる方向に流れる濁水を処理することができる。
【００１１】
請求項２に記載の濁水処理装置においては、濁水貯溜槽に整地現場で発生した濁水を貯溜する。濁水貯溜槽が攪拌・混合槽より高い位置に設けられているので、濁水貯溜槽に導入された濁水は、その自重により攪拌・混合槽に流入し、また、凝集物沈殿槽が攪拌・混合槽より低い位置に設けられているので、攪拌・混合槽の凝集剤混合濁水は、その自重により凝集沈殿槽に流入する。したがって、ポンプ等の装置を設けることなく、自然の地形を利用することにより、濁水を濁水貯溜槽から凝集物沈殿槽へ流し込むことができる。また、濁水貯溜槽、攪拌・混合槽及び凝集沈殿槽を分散して配置することができるので、従来困難とされていた地形（例えば、プラント装置を設置するスペースが無い地形）においても対応することができ、さらに、攪拌・混合槽のみ製造・設置するものであるので、安価で、作業が簡単なものである。さらにまた、地形の都合上、一箇所に集水できない場合であっても、攪拌・混合槽を複数設置することにより、あらゆる方向に流れる濁水を処理することができる。
【００１２】
請求項３記載の濁水処理装置においては、攪拌・混合槽と凝集物沈殿槽との間に設けた攪拌管において凝集剤混合濁水を攪拌するので、より均一に混合し凝集反応を促進させることができる。
【発明を実施するための最良の形態】
【００１３】
本発明による濁水処理装置は、濁水貯溜槽と、攪拌・混合槽と、凝集物沈殿槽とを有しており、濁水貯溜槽及び凝集物沈殿槽は現場において最適な個所に構築することができ、その形状、容量等は適宜最適なものを選択する。攪拌・混合槽は、予め製造したものを現場の最適な個所に設置する。また、攪拌・混合槽に用いる凝集剤は、特に限定されること無く、従来用いられるものを使用することができる。
【００１４】
本発明（請求項１）による濁水処理装置の一実施形態を図面を参照して説明する。
【００１５】
図１は濁水処理装置の概略平面図、図２は濁水処理装置の概略側面図である。
【００１６】
図１及び図２において、１０は濁水を貯溜する濁水貯溜槽、２０は濁水貯溜槽１０に貯溜された濁水を搬送する濁水搬送部、３０は濁水搬送部２０より導入された濁水に凝集剤を混入するとともに攪拌する攪拌・混合槽、４０は攪拌・混合槽の凝集剤が混合された凝集剤混合濁水を流す攪拌管、５０は攪拌管４０から導入された凝集剤混合濁水を貯溜し凝集物を沈殿させる凝集物沈殿槽、６０は凝集物沈殿槽５０の凝集物が沈殿した濁水中の凝集物を漉すフィルター水路、７０はフィルター水路６０から導入された清水を貯溜する清水槽である。なお、濁水貯溜槽１０と攪拌・混合槽３０とは近接した状態で示してあるが、現場の地形に応じて良好な位置に配置するものである。
【００１７】
濁水貯溜槽１０は整地現場の地面１に構築されており、その側面に下方から第１フロースイッチ１１、第２フロースイッチ１２及び第３フロースイッチ１３が設けられている。第１フロースイッチ１１は濁水の水面が当該位置になった時ポンプを停止させるものであり、第２フロースイッチ１２は濁水の水面が当該位置になった時ポンプを駆動させるものであり、第３フロースイッチ１３は濁水の水面が当該位置になった時装置全体を停止させるものであり、これら第１フロースイッチ１１、第２フロースイッチ１２及び第３フロースイッチ１３は、制御盤（図示せず）に接続され、制御盤によりポンプ等を制御している。
【００１８】
また、濁水貯溜槽１０の一端の上部には濁水流入水路１４が設けられており、この濁水流入水路１４より整地現場に発生した濁水を濁水貯溜槽１０に導入している。なお、１５は濁水貯溜槽１０からオーバーフローした濁水を凝集沈殿槽５０に直接流し込むためのオーバーフロー水路である。
【００１９】
濁水搬送部２０は、搬送管２１が濁水貯溜槽１０と攪拌・混合槽３０との間に設けられている。この搬送管２１の濁水貯溜槽１０側の端部には濁水を攪拌・混合槽３０へ送り込む水中ポンプ２２が連結され、また中間部には濁水の流量を検出する電磁流量計２３及び濁水の流量を調整するバルブ２４が設けられている。
【００２０】
攪拌・混合槽３０は、濁水の流れ方向に４つの攪拌・混合部３１ａ、３１ｂ、３１ｃ、３１ｄに区分され、最も上流側の攪拌・混合部３１ａの上面に凝集剤供給部３２が設けられている。
【００２１】
攪拌・混合部３１は区分板３３ａ、３３ｂ、３３ｃにより区分されており、区分板３３ａは先端が底手前に位置して攪拌・混合部３１ａと攪拌・混合部３１ｂとが下方において連通した状態となり、区分板３３ｂは先端が天面手前に位置して攪拌・混合部３１ｂと攪拌・混合部３１ｃとが上方において連通した状態となり、区分板３３ｃは先端が底手前に位置して攪拌・混合部３１ｃと攪拌・混合部３１ｄとが下方において連通した状態となっている。したがって、濁水は攪拌・混合槽３０において上下動を繰り返して搬送されるようになっている。
【００２２】
また、各攪拌・混合部３１には、巻上翼３４及び攪拌翼３５が設けられ、これら巻上翼３４及び攪拌翼３５は回転軸３６を介してモータ３７に連結され、回転自在となっている。
【００２３】
攪拌管４０は、最下流側の攪拌・混合部３１ｄに連通する導入管４１を介して設けられている。この導入管４０の内部には、濁水の流れ方向と直角方向において、左右交互に攪拌板４２が複数設けられ、攪拌管４０の内部を通過する凝集剤混合濁水が左右方向に蛇行しながら流れるようになっている。
【００２４】
凝集物沈殿槽５０は攪拌管４０の先端に位置し、地面１に構築されたものである。この凝集物沈殿槽５０の略上面に位置して前記フィルター水路６０が設けられており、このフィルター水路６０には凝集物を漉すための複数のフィルター６１が設けられている。そして、フィルター水路６０の他端部に前記清水槽７０が設けられ、この清水槽７０も地面１に構築されたものである。
【００２５】
以上のような濁水処理装置で濁水を処理するには、濁水流入水路１４を介して濁水が濁水貯溜槽１０に流入する。濁水が流入し水面が上昇し第２フロースイッチ１２に達しオンすると、水中ポンプ２２が駆動して濁水を攪拌・混合槽３０へ送り込むとともに、凝集剤供給部３２が駆動して凝集剤を攪拌・混合部３１ａへ供給し、さらにモータ３６を駆動させて巻上翼３４及び攪拌翼３５を回転させる。この時、濁水の流量を電磁流量計２３で検出し、この流量に対応して凝集剤供給部３２による凝集剤の供給量を制御する。さらに、所定の流量となるようにバルブ２４で調整する。
【００２６】
また、何らかの原因で濁水流入水路１４からの濁水の流量が減少し、その水面が第１フロースイッチ１１まで降下すると、第１フロースイッチ１１がオンし水中ポンプ２２等の駆動を停止させ、さらに、濁水の流量が増加し、その水面が第３フロースイッチ１３まで上昇すると、第３フロースイッチ１３がオンし水中ポンプ２２等の駆動を停止させる。
【００２７】
濁水貯溜槽１０から攪拌・混合槽３０に送られた濁水は、まず攪拌・混合部３１ａに導入され、凝集剤が混入される。そして、上下に蛇行しながら攪拌・混合部３１ｂ、３１ｃ、３１ｄを通過するとともに、その際、巻上翼３４で上方へ巻上られ、さらに攪拌翼３５で攪拌されるので、急速に凝集剤が濁水中に均一に混合され、凝集反応が促進される。
【００２８】
こうして凝集剤が均一に混合された凝集剤混合濁水は攪拌・混合槽３０から攪拌管４０に送られる。凝集剤混合濁水は攪拌管４０において攪拌板４２に遮られて左右に蛇行して流れるので、さらに攪拌・混合されるとともに、凝集反応が促進される。
【００２９】
攪拌管４０から凝集剤混合濁水が凝集物沈殿槽５０に送られ、この凝集物沈殿槽５０において凝集物を沈殿させ、その上澄みの部分をフィルター水路６０を介して清水槽７０に送る。この時、上澄み部分の凝集物（一時的に大量の濁水を処理した場合等）はフィルター６１で除去されるので、清水のみが清水槽７０に送られる。
【００３０】
こうして濁水処理作業を続け、凝集沈殿槽５０が凝集物により一杯になった場合は、攪拌管４０を清水槽７０に配置し、一時的に清水槽７０を凝集沈殿槽として使用し、その間に凝集沈殿槽５０の凝集物をユンボ、バキューム等で排出する。
【００３１】
本発明（請求項２）による濁水処理装置の一実施形態について図面を参照して説明する。
【００３２】
図３濁水処理装置の概略平面図、図４は濁水処理装置の概略側面図である。
【００３３】
図３及び図４において、１１０は濁水を貯溜する濁水貯溜槽、１２０は濁水貯溜槽１１０に貯溜された濁水を流す濁水搬送路、１３０は濁水搬送路１２０より導入された濁水に凝集剤を混入するとともに攪拌する攪拌・混合槽、１４０は攪拌・混合槽の凝集剤が混合された凝集剤混合濁水を流す攪拌管、１５０は攪拌管１４０から導入された凝集剤混合濁水を貯溜し凝集物を沈殿させる凝集物沈殿槽、１６０は凝集物沈殿槽１５０の凝集物が沈殿した濁水中の凝集物を漉すフィルター水路、１７０はフィルター水路１６０から導入された清水を貯溜する清水槽である。
【００３４】
前記濁水貯溜槽１１０、濁水搬送路１２０、凝集沈殿槽１５０及び清水槽１７０は整地現場の地面１に構築されており、また、攪拌・混合槽１３０及び攪拌管１４０は地面に埋設された状態で設置されている。そして、攪拌・混合槽１３０より濁水貯溜槽１１０及び濁水搬送路１２０が高い位置に設けられるとともに、凝集沈殿槽１５０が攪拌・混合槽１３０より低い位置に設けられている。すなわち、濁水貯溜槽１１０、濁水搬送路１２０、攪拌・混合槽１３０、攪拌管１４０及び凝集沈殿槽１５０の順に少しの勾配（１／１００）をもって配置され、濁水貯溜槽１１０から凝集沈殿槽１５０へ濁水が自重により流れるようになっている。なお、濁水貯溜槽１１０と攪拌・混合槽１３０とは近接した状態で示してあるが、現場の地形に応じて良好な位置に配置するものである。
【００３５】
濁水貯溜槽１１０は、一端の上部には濁水流入水路１１１が設けられており、この濁水流入水路１１１より整地現場に発生した濁水を濁水貯溜槽１１０に導入している。なお、１１２は濁水貯溜槽１０からオーバーフローした濁水を凝集沈殿槽５０に直接流し込むためのオーバーフロー管である。
【００３６】
濁水搬送路１２０は、その中間において開水路流量計１２１が設けられ、濁水の流量を検出できるようになっている。また、開水路流量計１２１は制御盤１２２に接続され、制御盤１２２により検出した流量に応じて凝集剤の投入量を制御するようになっている。
【００３７】
攪拌・混合槽１３０は、濁水の流れ方向に４つの攪拌・混合部１３１ａ、１３１ｂ、１３１ｃ、１３１ｄに区分され、最も上流側の攪拌・混合部１３１ａの上面に凝集剤供給部１３２が設けられている。
【００３８】
攪拌・混合部１３１は区分板１３３ａ、１３３ｂ、１３３ｃにより区分されており、区分板１３３ａは先端が底手前に位置して攪拌・混合部１３１ａと攪拌・混合部１３１ｂとが下方において連通した状態となり、区分板１３３ｂは先端が天面手前に位置して攪拌・混合部１３１ｂと攪拌・混合部１３１ｃとが上方において連通した状態となり、区分板１３３ｃは先端が底手前に位置して攪拌・混合部１３１ｃと攪拌・混合部１３１ｄとが下方において連通した状態となっている。したがって、濁水は攪拌・混合槽１３０において上下動を繰り返して搬送されるようになっている。
【００３９】
また、各攪拌・混合部１３１には、巻上翼１３４及び攪拌翼１３５が設けられ、これら巻上翼１３４及び１攪拌翼３５は回転軸１３６を介してモータ１３７に連結され、回転自在となっている。
【００４０】
攪拌管１４０は、最下流側の攪拌・混合部１３１ｄに連結されており、この導入管１４０の内部には、濁水の流れ方向と直角方向において、左右交互に攪拌板１４１が複数設けられ、攪拌管１４０の内部を通過する凝集剤混合濁水が左右方向に蛇行しながら流れるようになっている。
【００４１】
凝集物沈殿槽１５０は攪拌管１４０の先端に位置し、地面１に構築されたものである。この凝集物沈殿槽１５０の略上面に位置して前記フィルター水路１６０が設けられており、このフィルター水路１６０には凝集物を漉すための複数のフィルター１６１が設けられている。そして、フィルター水路１６０の他端部に前記清水槽１７０が設けられ、この清水槽１７０も地面１に構築されたものである。
【００４２】
以上のような濁水処理装置で濁水を処理するには、濁水流入水路１１１を介して濁水が濁水貯溜槽１１０に流入する。流入した濁水が貯溜されて行き、その水面が濁水搬送路１２０より上昇すると、濁水搬送路１２０は水面より低い位置となるので、濁水は濁水搬送路１２０に流入して行く。この時、濁水の流量を開水路流量計１２１で検出し、この流量に対応して凝集剤供給部１３２による凝集剤の供給量を制御する。
【００４３】
濁水搬送路１２０から攪拌・混合槽１３０に送られた濁水は、まず攪拌・混合部１３１ａに導入され、凝集剤が混入される。そして、上下に蛇行しながら攪拌・混合部１３１ｂ、１３１ｃ、１３１ｄを通過するとともに、その際、巻上翼１３４で上方へ巻上られ、さらに攪拌翼１３５で攪拌されるので、急速に凝集剤が濁水中に均一に混合され、凝集反応が促進される。
【００４４】
こうして凝集剤が均一に混合された凝集剤混合濁水は攪拌・混合槽３０から攪拌管１４０に流入する。凝集剤混合濁水は攪拌管１４０において攪拌板１４２に遮られて左右に蛇行して流れるので、さらに攪拌・混合されるとともに、凝集反応が促進される。
【００４５】
攪拌管１４０から凝集剤混合濁水が凝集物沈殿槽１５０に流入し、この凝集物沈殿槽１５０において凝集物を沈殿させ、その上澄みの部分をフィルター水路１６０を介して清水槽１７０に送る。この時、上澄み部分の水が含んでいる凝集物（一時的に大量の濁水を処理した場合等）はフィルター１６１で除去されるので、清水のみが清水槽１７０に送られる。
【００４６】
こうして濁水処理作業を続け、凝集沈殿槽１５０が凝集物により一杯になった場合は、攪拌管１４０を清水槽１７０に配置し、一時的に清水槽１７０を凝集沈殿槽１５０をして使用し、その間に凝集沈殿槽１５０の凝集物をユンボ、バキューム等で排出する。
【００４７】
本発明（請求項１）による濁水処理装置の第３の実施形態を図５及び図６を参照して説明する。この実施形態は、凝集物沈殿槽を地面に構築したものではなく、タンクを用いたものである。
【００４８】
図５は濁水処理装置の概略平面図、図６は濁水処理装置の概略側面図である。
【００４９】
図５及び図６において、２００は凝集物を沈殿させる凝集物沈殿槽としての凝集物沈殿タンク、２１０は清水槽としての清水タンクであり、これらのタンクは現場において製作するか、または製作したものを設置するものである。この第２の実施形態は、第１の実施形態のように地面に構築する必要がないので、地面に凝集物沈殿槽を構築できないような現場においても実施することができる。
【００５０】
なお、濁水貯溜槽１０、濁水搬送部２０、攪拌・混合槽３０は、第１の実施形態と同様に構成されており、濁水貯溜槽１０には、第１フロースイッチ１１、第２フロースイッチ１２及び第３フロースイッチ、濁水流入水路１４が設けられており、濁水搬送部２０には、搬送管２１、水中ポンプ２２、電磁流量計２３、バルブ２４が設けられており、攪拌・混合槽３０には、攪拌・混合部３１、凝集剤供給部３２、区分板３３、巻上翼３４、攪拌翼３５、回転軸３６、モータ３７が設けられており、また凝集沈殿タンク２００に濁水を供給できるように架台３８に載置されている。
【００５１】
また、２２０は攪拌・混合槽３０の凝集剤が混合された凝集剤混合濁水を凝集物沈殿タンク２００に導入する導入管、２３０は、凝集物沈殿タンク２００の清水を清水タンク２１０に導入する清水導入管である。
【００５２】
本発明（請求項１）による濁水処理装置の第４の実施形態を図７及び図８を参照して説明する。この第４の実施形態は、第３の実施形態において、濁水搬送部２０に予備タンクを設けたものであり、濁水を安定的に供給できるようにしたものである。
【００５３】
図７及び図８において、２５０は濁水搬送部で、この濁水搬送部２５０には予備タンク２５１が設けられている。予備タンク２５１内部には、第１フロースイッチ２５２、第２フロースイッチ２５３及び第３フロースイッチ２５４が設けられるとともに水中ポンプ２５５が設けられ、第１の実施形態と同様に、制御盤（図示せず）に接続され、制御盤により水中ポンプ２５５等を制御している。この濁水搬送部２５０において、２５６は搬送管、２５７は水中ポンプ、２５８は電磁流量計、２５９はバルブである。
【００５４】
なお、濁水処理槽１０は、第１の実施形態においてフロースイッチを設けていない他は同様に構成されており、凝集物沈殿タンク２００、清水タンク２１０、導入管２２０、清水導入管２３０は、第２の実施形態と同様に構成されている。
【図面の簡単な説明】
【００５５】
【図１】本発明による濁水処理装置の一実施形態の概略平面図
【図２】本発明による濁水処理装置の一実施形態の概略側面図
【図３】本発明による濁水処理装置の他の実施形態の概略平面図
【図４】本発明による濁水処理装置の他の実施形態の概略側面図
【図５】本発明による濁水処理装置の他の実施形態の概略平面図
【図６】本発明による濁水処理装置の他の実施形態の概略側面図
【図７】本発明による濁水処理装置の他の実施形態の概略平面図
【図８】本発明による濁水処理装置の他の実施形態の概略側面図
【符号の説明】
【００５６】
１０、１１０…濁水貯溜槽
２０…濁水搬送部
３０、１３０…攪拌・混合槽
４０、１４０…攪拌管
５０、１５０、２００…凝集沈殿槽
６０、１６０…フィルター水路
７０、１７０、２１０…清水槽
【図１】
2006150297.tif 000003
【図２】
2006150297.tif 000004
【図３】
2006150297.tif 000005
【図４】
2006150297.tif 000006
【図５】
2006150297.tif 000007
【図６】
2006150297.tif 000008
【図７】
2006150297.tif 000009
【図８】
2006150297.tif 000010